(57)【要約】【課題】遊技媒体を不正に払い出させる不正基板を貸出装置と遊技機との通信経路に取り付けるような不正を確実に回避して、動作信頼性を高めた遊技システムを提供する。【解決手段】貸出装置１１０とＣＲ遊技機２１０が正しく接続されることで遊技球貸出機能が有効となる遊技システムで、貸出装置１１０の主制御基板１０１に設けた認証手段１１１と、ＣＲ遊技機２１０に設けた認証手段２１１との間で、暗号化した認証用電文のやり取りを行い、認証手段１１１と認証手段２１１が暗号化・復号化に使う暗号鍵が同じであれば、一方で暗号化した認証用電文を他方で復号化できるので、接続相手が正しい接続相手であるかを認証用電文のやり取りで相互認証し、認証が完了した場合にのみ、貸出装置１１０とＣＲ遊技機２１０が正常稼働する。【選択図】図１
2011072520.tif 000002
【特許請求の範囲】
【請求項１】
遊技媒体を貸し出すための貸出制御機能を備えた貸出装置と、該貸出装置が正しく接続されている事で遊技が可能となる遊技機と、で構成される遊技システムであって、
前記貸出装置と前記遊技機には、共通の暗号化・復号化機能によって認証用電文の暗号化および復号化を行える認証手段を各々設け、
前記貸出装置と前記遊技機とが相互に正当な接続相手先である事を認証するための所定の認証用電文を暗号通信する事で相互認証し、認証の結果、双方が正当な接続先であると判断した場合に限り、貸出装置および遊技機が正常動作するようにしたことを特徴とする遊技システム。
【請求項２】
前記貸出装置および前記遊技機が備える認証手段は、鍵生成のための共通の暗号鍵初期化情報を入力して同一系列の疑似乱数値を順次生成して内部に保持する暗号鍵生成機能を含み、この内部生成した暗号鍵を外部に通知することなく認証用電文の暗号化・復号化に用いるようにしたことを特徴とする請求項１に記載の遊技システム。
【請求項３】
前記貸出装置および前記遊技機の認証手段が、暗号鍵生成機能により暗号鍵を生成するための暗号鍵初期化情報は、貸出装置に搭載された通信手段によって貸出装置の外部から取得し、取得した暗号鍵初期化情報を貸出装置から遊技機へ通知することで、双方が共通の暗号鍵初期化情報により共通の暗号鍵を生成できるようにしたことを特徴とする請求項２に記載の遊技システム。
【請求項４】
前記貸出装置が取得する暗号鍵生成用の暗号鍵初期化情報は、当該貸出装置が遊技店内通信ネットワークを介して接続された店舗内の店舗管理コンピュータから供給されるようにしたことを特徴とする請求項３に記載の遊技システム。
【請求項５】
前記貸出装置が取得する暗号鍵生成用の暗号鍵初期化情報は、当該貸出装置が遊技店内通信ネットワークおよび広域通信網を介して接続された店舗外のセキュリティ管理サーバから供給されるようにしたことを特徴とする請求項３に記載の遊技システム。
【請求項６】
前記貸出装置および前記遊技機の認証手段が、暗号鍵生成機能により暗号鍵を生成するための暗号鍵初期化情報は、貸出装置に設けた暗号鍵初期化情報生成手段によってランダムに生成し、生成した暗号鍵初期化情報を貸出装置から遊技機へ通知することで、双方が共通の暗号鍵初期化情報により共通の暗号鍵を生成できるようにしたことを特徴とする請求項２に記載の遊技システム。
【請求項７】
前記貸出装置の暗号鍵初期化情報生成手段は、貸出装置の稼働中にランダムに生ずるイベントの中から予め定めた初期化情報更新イベントが発生することに基づいて暗号鍵初期化情報を生成することにより、暗号鍵初期化情報の更新タイミングがランダムになるようにしたことを特徴とする請求項６に記載の遊技システム。
【請求項８】
前記貸出装置および前記遊技機が備える認証手段の暗号鍵生成機能は、暗号化および／または復号化による認証の実行毎に所定の手順で新たな暗号鍵を生成することにより、貸出装置の認証手段と遊技機の認証手段が更新された共通の暗号鍵を利用できるようにしたことを特徴とする請求項２〜請求項７の何れか１項に記載の遊技システム。
【請求項９】
前記遊技機は、当該遊技機の個体を識別できる遊技機固有情報を保持するものとし、
前記遊技機固有情報を含む認証用電文を遊技機より貸出装置へ送信し、これを受信した貸出装置は遊技機固有情報を記憶するとともに認証用電文を新たに生成した暗号鍵で暗号化した暗号電文を遊技機へ送信し、これを受信した遊技機は新たに生成した貸出装置と共通の暗号鍵で暗号電文を復号化するとともに貸出装置に送信した認証用電文と比較し、遊技機から送信した認証用電文と遊技機が受信して復号した認証用電文とが一致することで相互認証が完了するようにしたことを特徴とする請求項８に記載の遊技システム。
【請求項１０】
前記遊技機は、当該遊技機の個体を識別できる遊技機固有情報を保持するものとし、
前記遊技機固有情報を含む認証用電文を遊技機内で新たに生成した暗号鍵により暗号化した暗号化電文を遊技機より貸出装置へ送信し、これを受信した貸出装置は新たに生成した遊技機と共通の暗号鍵で暗号化電文を復号化し、復号化した認証用電文の遊技機固有情報を記憶するとともに認証用電文を新たに生成した暗号鍵で暗号化した暗号電文を遊技機へ送信し、これを受信した遊技機は新たに生成した貸出装置と共通の暗号鍵で暗号電文を復号化するとともに貸出装置に送信した認証用電文と比較し、遊技機から送信した認証用電文と遊技機が受信して復号した認証用電文とが一致することで相互認証が完了するようにしたことを特徴とする請求項８に記載の遊技システム。
【請求項１１】
前記貸出装置は、当該貸出装置の個体を識別できる貸出装置固有情報を保持するものとし、
前記貸出装置固有情報を含む認証用電文を貸出装置より遊技機へ送信し、これを受信した遊技機は貸出装置固有情報を記憶するとともに認証用電文を新たに生成した暗号鍵で暗号化した暗号電文を貸出装置へ送信し、これを受信した貸出装置は新たに生成した遊技機と共通の暗号鍵で暗号電文を復号化するとともに遊技機に送信した認証用電文と比較し、貸出装置から送信した認証用電文と貸出装置が受信して復号した認証用電文とが一致することで相互認証が完了するようにしたことを特徴とする請求項８に記載の遊技システム。
【請求項１２】
前記貸出装置は、当該貸出装置の個体を識別できる貸出装置固有情報を保持するものとし、
前記貸出装置固有情報を含む認証用電文を貸出装置内で新たに生成した暗号鍵により暗号化した暗号化電文を貸出装置より遊技機へ送信し、これを受信した遊技機は新たに生成した貸出装置と共通の暗号鍵で暗号化電文を復号化し、復号化した認証用電文の貸出装置固有情報を記憶するとともに認証用電文を新たに生成した暗号鍵で暗号化した暗号電文を貸出装置へ送信し、これを受信した貸出装置は新たに生成した遊技機と共通の暗号鍵で暗号電文を復号化するとともに遊技機に送信した認証用電文と比較し、貸出装置から送信した認証用電文と貸出装置が受信して復号した認証用電文とが一致することで相互認証が完了するようにしたことを特徴とする請求項８に記載の遊技システム。
【請求項１３】
前記請求項９〜請求項１２に記載の遊技システムにおける相互認証を複数組み合わせ、組み合わせた複数の相互認証が全て完了することによって認証条件が達成されるようにしたことを特徴とする遊技システム。
【請求項１４】
前記貸出装置と前記遊技機との間で最初に行う初回相互認証のときに取得した相手機器の固有情報を初期固有情報として記憶保持する初期固有情報記憶手段と、
前記初期固有情報記憶手段に初期固有情報が記憶された後に行う相互認証で取得した相手機器の固有情報が初期固有情報と一致するか否かに基づいて、接続対象の相手機器が変更された異常の有無を判定する接続異常判定手段と、
を備えることを特徴とする請求項９〜請求項１３に記載の遊技システム。
【請求項１５】
前記貸出装置の認証手段と前記遊技機の認証手段は、共に通信機能を備え、認証用電文を直接やりとりするようにしたことを特徴とする請求項１〜請求項１４の何れか１項に記載の遊技システム。
【請求項１６】
前記貸出装置の認証手段と前記遊技機の認証手段は、共に通信機能を持たず、貸出装置および遊技機の各制御基板が備える通信機能によって認証用電文のやりとりを行うようにしたことを特徴とする請求項１〜請求項１４の何れか１項に記載の遊技システム。
【請求項１７】
前記貸出装置と前記遊技機との信号接続構造は、遊技機より一方的に出力される遊技機状態出力信号と、貸出装置と遊技機間で双方向通信する遊技媒体の貸出に関する貸出関連信号とを、各々異なる信号線束に分離し、
前記遊技機の認証手段からの送信は遊技機状態出力信号線束を通じて行い、前記貸出装置の認証手段からの送信は貸出関連信号線束を通じて行うようにしたことを特徴とする請求項１〜請求項１６の何れか１項に記載の遊技システム。
【請求項１８】
前記貸出装置と前記遊技機との信号接続構造は、遊技機より一方的に出力される遊技機状態出力信号と、貸出装置と遊技機間で双方向通信する遊技媒体の貸出に関する貸出関連信号とを、各々異なる信号線束に分離し、
前記遊技機の認証手段からの送信および前記貸出装置の認証手段からの送信は、共に貸出関連信号線束を通じて行うようにしたことを特徴とする請求項１〜請求項１６の何れか１項に記載の遊技システム。
【請求項１９】
前記貸出装置と前記遊技機との信号接続構造は、遊技機より一方的に出力される遊技機状態出力信号と、貸出装置と遊技機間で双方向通信する遊技媒体の貸出に関する貸出関連信号とを、同じ信号線束に統合し、
前記遊技機の認証手段からの送信および前記貸出装置の認証手段からの送信は、共に統合信号線束を通じて行うようにしたことを特徴とする請求項１〜請求項１６の何れか１項に記載の遊技システム。
【請求項２０】
前記統合信号線束を介して遊技機から貸出装置へ送信する遊技機状態出力信号には、少なくとも大当り、図柄停止、確率変動、時間短縮、不正検知、発射数、賞球数の各状態を含むようにしたことを特徴とする請求項１９に記載の遊技システム。
【発明の詳細な説明】
【技術分野】
【０００１】
本発明は、遊技機と貸出装置が適正に接続されることで遊技が可能になる遊技システムに関する。
【背景技術】
【０００２】
従来より、遊技媒体を用いた遊技が行える遊技機と、遊技機での遊技に使う遊技機を貸し出すための制御を行う貸出装置とが適正に接続されることで遊技が可能になる遊技システムがある。遊技機は、主制御基板のＣＰＵによって遊技制御されていることから、そのＣＰＵを不正なものに交換する不正が行われることがあった。不正なＣＰＵに交換されると、本来の遊技機能が損なわれて、遊技店に多大な損害を与えることもあった。
【０００３】
このため、遊技機の主制御基板をカシめ、封印シールをはり、更に封印シールにＩＣチップを埋め込んで、遊技機の制御基板が不正なものと交換されることを困難にし、不正な遊技媒体の払い出しを排除する方法が提案されている（例えば、特許文献１を参照）。
【先行技術文献】
【特許文献】
【０００４】
【特許文献１】特開２００７−２８９４１９号公報
【発明の概要】
【発明が解決しようとする課題】
【０００５】
しかしながら、特許文献１に記載の不正監視システムでは、対処できない不正がある。すなわち、遊技機の主制御基板はそのまま残し、遊技媒体の払出に係る信号が送受信されるインターフェース部や配線ケーブルに対して不正な基板を外付けし、この不正基板によってニセの信号を割り込ませることで、遊技媒体を不正に払出させるような不正には、特許文献１に記載の不正監視システムは対処できないのである。
【０００６】
そこで、本発明は、上記問題点に鑑み、遊技媒体を不正に払い出させる不正基板を貸出装置と遊技機との通信経路に取り付けるような不正を確実に回避して、動作信頼性を高めた遊技システムの提供を目的とする。
【課題を解決するための手段】
【０００７】
上記の課題を解決するために、請求項１に係る発明は、遊技媒体を貸し出すための貸出制御機能を備えた貸出装置と、該貸出装置が正しく接続されている事で遊技が可能となる遊技機と、で構成される遊技システムであって、前記貸出装置と前記遊技機には、共通の暗号化・復号化機能によって認証用電文の暗号化および復号化を行える認証手段を各々設け、前記貸出装置と前記遊技機とが相互に正当な接続相手先である事を認証するための所定の認証用電文を暗号通信する事で相互認証し、認証の結果、双方が正当な接続先であると判断した場合に限り、貸出装置および遊技機が正常動作するようにしたことを特徴とする。
【０００８】
また、請求項２に係る発明は、前記請求項１に記載の遊技システムにおいて、前記貸出装置および前記遊技機が備える認証手段は、鍵生成のための共通の暗号鍵初期化情報を入力して同一系列の疑似乱数値を順次生成して内部に保持する暗号鍵生成機能を含み、この内部生成した暗号鍵を外部に通知することなく認証用電文の暗号化・復号化に用いるようにしたことを特徴とする。
【０００９】
また、請求項３に係る発明は、前記請求項２に記載の遊技システムにおいて、前記貸出装置および前記遊技機の認証手段が、暗号鍵生成機能により暗号鍵を生成するための暗号鍵初期化情報は、貸出装置に搭載された通信手段によって貸出装置の外部から取得し、取得した暗号鍵初期化情報を貸出装置から遊技機へ通知することで、双方が共通の暗号鍵初期化情報により共通の暗号鍵を生成できるようにしたことを特徴とする。
【００１０】
また、請求項４に係る発明は、前記請求項３に記載の遊技システムにおいて、前記貸出装置が取得する暗号鍵生成用の暗号鍵初期化情報は、当該貸出装置が遊技店内通信ネットワークを介して接続された店舗内の店舗管理コンピュータから供給されるようにしたことを特徴とする。
【００１１】
また、請求項５に係る発明は、前記請求項３に記載の遊技システムにおいて、前記貸出装置が取得する暗号鍵生成用の暗号鍵初期化情報は、当該貸出装置が遊技店内通信ネットワークおよび広域通信網を介して接続された店舗外のセキュリティ管理サーバから供給されるようにしたことを特徴とする。
【００１２】
また、請求項６に係る発明は、前記請求項２に記載の遊技システムにおいて、前記貸出装置および前記遊技機の認証手段が、暗号鍵生成機能により暗号鍵を生成するための暗号鍵初期化情報は、貸出装置に設けた暗号鍵初期化情報生成手段によってランダムに生成し、生成した暗号鍵初期化情報を貸出装置から遊技機へ通知することで、双方が共通の暗号鍵初期化情報により共通の暗号鍵を生成できるようにしたことを特徴とする。
【００１３】
また、請求項７に係る発明は、前記請求項６に記載の遊技システムにおいて、前記貸出装置の暗号鍵初期化情報生成手段は、貸出装置の稼働中にランダムに生ずるイベントの中から予め定めた初期化情報更新イベントが発生することに基づいて暗号鍵初期化情報を生成することにより、暗号鍵初期化情報の更新タイミングがランダムになるようにしたことを特徴とする。
【００１４】
また、請求項８に係る発明は、前記請求項２〜請求項７の何れか１項に記載の遊技システムにおいて、前記貸出装置および前記遊技機が備える認証手段の暗号鍵生成機能は、暗号化および／または復号化による認証の実行毎に所定の手順で新たな暗号鍵を生成することにより、貸出装置の認証手段と遊技機の認証手段が更新された共通の暗号鍵を利用できるようにしたことを特徴とする。
【００１５】
また、請求項９に係る発明は、前記請求項８に記載の遊技システムにおいて、前記遊技機は、当該遊技機の個体を識別できる遊技機固有情報を保持するものとし、前記遊技機固有情報を含む認証用電文を遊技機より貸出装置へ送信し、これを受信した貸出装置は遊技機固有情報を記憶するとともに認証用電文を新たに生成した暗号鍵で暗号化した暗号電文を遊技機へ送信し、これを受信した遊技機は新たに生成した貸出装置と共通の暗号鍵で暗号電文を復号化するとともに貸出装置に送信した認証用電文と比較し、遊技機から送信した認証用電文と遊技機が受信して復号した認証用電文とが一致することで相互認証が完了するようにしたことを特徴とする。
【００１６】
また、請求項１０に係る発明は、前記請求項８に記載の遊技システムにおいて、前記遊技機は、当該遊技機の個体を識別できる遊技機固有情報を保持するものとし、前記遊技機固有情報を含む認証用電文を遊技機内で新たに生成した暗号鍵により暗号化した暗号化電文を遊技機より貸出装置へ送信し、これを受信した貸出装置は新たに生成した遊技機と共通の暗号鍵で暗号化電文を復号化し、復号化した認証用電文の遊技機固有情報を記憶するとともに認証用電文を新たに生成した暗号鍵で暗号化した暗号電文を遊技機へ送信し、これを受信した遊技機は新たに生成した貸出装置と共通の暗号鍵で暗号電文を復号化するとともに貸出装置に送信した認証用電文と比較し、遊技機から送信した認証用電文と遊技機が受信して復号した認証用電文とが一致することで相互認証が完了するようにしたことを特徴とする。
【００１７】
また、請求項１１に係る発明は、前記請求項８に記載の遊技システムにおいて、前記貸出装置は、当該貸出装置の個体を識別できる貸出装置固有情報を保持するものとし、前記貸出装置固有情報を含む認証用電文を貸出装置より遊技機へ送信し、これを受信した遊技機は貸出装置固有情報を記憶するとともに認証用電文を新たに生成した暗号鍵で暗号化した暗号電文を貸出装置へ送信し、これを受信した貸出装置は新たに生成した遊技機と共通の暗号鍵で暗号電文を復号化するとともに遊技機に送信した認証用電文と比較し、貸出装置から送信した認証用電文と貸出装置が受信して復号した認証用電文とが一致することで相互認証が完了するようにしたことを特徴とする。
【００１８】
また、請求項１２に係る発明は、前記請求項８に記載の遊技システムにおいて、前記貸出装置は、当該貸出装置の個体を識別できる貸出装置固有情報を保持するものとし、前記貸出装置固有情報を含む認証用電文を貸出装置内で新たに生成した暗号鍵により暗号化した暗号化電文を貸出装置より遊技機へ送信し、これを受信した遊技機は新たに生成した貸出装置と共通の暗号鍵で暗号化電文を復号化し、復号化した認証用電文の貸出装置固有情報を記憶するとともに認証用電文を新たに生成した暗号鍵で暗号化した暗号電文を貸出装置へ送信し、これを受信した貸出装置は新たに生成した遊技機と共通の暗号鍵で暗号電文を復号化するとともに遊技機に送信した認証用電文と比較し、貸出装置から送信した認証用電文と貸出装置が受信して復号した認証用電文とが一致することで相互認証が完了するようにしたことを特徴とする。
【００１９】
また、請求項１３に係る発明は、前記請求項９〜請求項１２に記載の遊技システムにおける相互認証を複数組み合わせ、組み合わせた複数の相互認証が全て完了することによって認証条件が達成されるようにしたことを特徴とする。
【００２０】
また、請求項１４に係る発明は、前記請求項９〜請求項１３に記載の遊技システムにおいて、前記貸出装置と前記遊技機との間で最初に行う初回相互認証のときに取得した相手機器の固有情報を初期固有情報として記憶保持する初期固有情報記憶手段と、前記初期固有情報記憶手段に初期固有情報が記憶された後に行う相互認証で取得した相手機器の固有情報が初期固有情報と一致するか否かに基づいて、接続対象の相手機器が変更された異常の有無を判定する接続異常判定手段と、を備えることを特徴とする。
【００２１】
また、請求項１５に係る発明は、前記請求項１〜請求項１４の何れか１項に記載の遊技システムにおいて、前記貸出装置の認証手段と前記遊技機の認証手段は、共に通信機能を備え、認証用電文を直接やりとりするようにしたことを特徴とする。
【００２２】
また、請求項１６に係る発明は、前記請求項１〜請求項１４の何れか１項に記載の遊技システムにおいて、前記貸出装置の認証手段と前記遊技機の認証手段は、共に通信機能を持たず、貸出装置および遊技機の各制御基板が備える通信機能によって認証用電文のやりとりを行うようにしたことを特徴とする。
【００２３】
また、請求項１７に係る発明は、前記請求項１〜請求項１６の何れか１項に記載の遊技システムにおいて、前記貸出装置と前記遊技機との信号接続構造は、遊技機より一方的に出力される遊技機状態出力信号と、貸出装置と遊技機間で双方向通信する遊技媒体の貸出に関する貸出関連信号とを、各々異なる信号線束に分離し、前記遊技機の認証手段からの送信は遊技機状態出力信号線束を通じて行い、前記貸出装置の認証手段からの送信は貸出関連信号線束を通じて行うようにしたことを特徴とする。
【００２４】
また、請求項１８に係る発明は、前記請求項１〜請求項１６の何れか１項に記載の遊技システムにおいて、前記貸出装置と前記遊技機との信号接続構造は、遊技機より一方的に出力される遊技機状態出力信号と、貸出装置と遊技機間で双方向通信する遊技媒体の貸出に関する貸出関連信号とを、各々異なる信号線束に分離し、前記遊技機の認証手段からの送信および前記貸出装置の認証手段からの送信は、共に貸出関連信号線束を通じて行うようにしたことを特徴とする。
【００２５】
また、請求項１９に係る発明は、前記請求項１〜請求項１６の何れか１項に記載の遊技システムにおいて、前記貸出装置と前記遊技機との信号接続構造は、遊技機より一方的に出力される遊技機状態出力信号と、貸出装置と遊技機間で双方向通信する遊技媒体の貸出に関する貸出関連信号とを、同じ信号線束に統合し、前記遊技機の認証手段からの送信および前記貸出装置の認証手段からの送信は、共に統合信号線束を通じて行うようにしたことを特徴とする。
【００２６】
また、請求項２０に係る発明は、前記請求項１９に記載の遊技システムにおいて、前記統合信号線束を介して遊技機から貸出装置へ送信する遊技機状態出力信号には、少なくとも大当り、図柄停止、確率変動、時間短縮、不正検知、発射数、賞球数の各状態を含むようにしたことを特徴とする。
【発明の効果】
【００２７】
請求項１に係る遊技システムによれば、前記貸出装置と前記遊技機には、共通の暗号化・復号化機能によって認証用電文の暗号化および復号化を行える認証手段を各々設け、前記貸出装置と前記遊技機とが相互に正当な接続相手先である事を認証するための所定の認証用電文を暗号通信する事で相互認証し、認証の結果、双方が正当な接続先であると判断した場合に限り、貸出装置および遊技機が正常動作するようにしたので、貸出装置と遊技機の通信経路に不正基板が取り付けられたり、不正な改竄ケーブルで貸出装置と遊技機を接続したような場合には、相互認証が成立せず、貸出装置及び遊技機が正常動作しない。よって、不正に遊技媒体が払い出されるような事態を確実に回避でき、信頼性の高い遊技システムとなる。
【００２８】
また、請求項２に係る遊技システムによれば、前記貸出装置および前記遊技機が備える認証手段は、鍵生成のための共通の暗号鍵初期化情報を入力して同一系列の疑似乱数値を順次生成して内部に保持する暗号鍵生成機能を含み、この内部生成した暗号鍵を外部に通知することなく認証用電文の暗号化・復号化に用いるようにしたので、認証に用いる暗号鍵自体が外部に漏洩する危険性が無く、貸出装置と遊技機との相互認証の信頼性を一層高めることができる。
【００２９】
また、請求項３に係る遊技システムによれば、前記貸出装置および前記遊技機の認証手段が、暗号鍵生成機能により暗号鍵を生成するための暗号鍵初期化情報は、貸出装置に搭載された通信手段によって貸出装置の外部から取得し、取得した暗号鍵初期化情報を貸出装置から遊技機へ通知することで、双方が共通の暗号鍵初期化情報により共通の暗号鍵を生成できるようにしたので、任意の暗号鍵初期化情報を外部から任意のタイミングで供給でき、相互認証の信頼性向上に寄与できる。
【００３０】
また、請求項４に係る遊技システムによれば、前記貸出装置が取得する暗号鍵生成用の暗号鍵初期化情報は、当該貸出装置が遊技店内通信ネットワークを介して接続された店舗内の店舗管理コンピュータから供給されるようにしたので、暗号鍵初期化情報を店舗管理コンピュータで管理できる。
【００３１】
また、請求項５に係る遊技システムによれば、前記貸出装置が取得する暗号鍵生成用の暗号鍵初期化情報は、当該貸出装置が遊技店内通信ネットワークおよび広域通信網を介して接続された店舗外のセキュリティ管理サーバから供給されるようにしたので、暗号鍵初期化情報をセキュリティ管理サーバで管理できる。
【００３２】
また、請求項６に係る遊技システムによれば、前記貸出装置および前記遊技機の認証手段が、暗号鍵生成機能により暗号鍵を生成するための暗号鍵初期化情報は、貸出装置に設けた暗号鍵初期化情報生成手段によってランダムに生成し、生成した暗号鍵初期化情報を貸出装置から遊技機へ通知することで、双方が共通の暗号鍵初期化情報により共通の暗号鍵を生成できるようにしたので、暗号鍵初期化情報自体の秘匿性を高めることができ、相互認証の信頼性維持に寄与できる。
【００３３】
また、請求項７に係る遊技システムによれば、前記貸出装置の暗号鍵初期化情報生成手段は、貸出装置の稼働中にランダムに生ずるイベントの中から予め定めた初期化情報更新イベントが発生することに基づいて暗号鍵初期化情報を生成することにより、暗号鍵初期化情報の更新タイミングがランダムになるようにしたので、暗号鍵初期化情報自体の秘匿性を一層高めることができ、相互認証の信頼性維持に寄与できる。
【００３４】
また、請求項８に係る遊技システムによれば、前記貸出装置および前記遊技機が備える認証手段の暗号鍵生成機能は、暗号化および／または復号化による認証の実行毎に所定の手順で新たな暗号鍵を生成することにより、貸出装置の認証手段と遊技機の認証手段が更新された共通の暗号鍵を利用できるようにしたので、暗号鍵初期化情報から直接生成される暗号鍵とは異なる暗号鍵に順次更新されてゆき、相互認証の信頼性維持に寄与できる。
【００３５】
また、請求項９に係る遊技システムによれば、前記遊技機は、当該遊技機の個体を識別できる遊技機固有情報を保持するものとし、前記遊技機固有情報を含む認証用電文を遊技機より貸出装置へ送信し、これを受信した貸出装置は遊技機固有情報を記憶するとともに認証用電文を新たに生成した暗号鍵で暗号化した暗号電文を遊技機へ送信し、これを受信した遊技機は新たに生成した貸出装置と共通の暗号鍵で暗号電文を復号化するとともに貸出装置に送信した認証用電文と比較し、遊技機から送信した認証用電文と遊技機が受信して復号した認証用電文とが一致することで相互認証が完了するようにしたので、貸出装置の暗号化機能と遊技機の復号化機能で簡易に相互認証を行うことができる。
【００３６】
また、請求項１０に係る遊技システムによれば、前記遊技機は、当該遊技機の個体を識別できる遊技機固有情報を保持するものとし、前記遊技機固有情報を含む認証用電文を遊技機内で新たに生成した暗号鍵により暗号化した暗号化電文を遊技機より貸出装置へ送信し、これを受信した貸出装置は新たに生成した遊技機と共通の暗号鍵で暗号化電文を復号化し、復号化した認証用電文の遊技機固有情報を記憶するとともに認証用電文を新たに生成した暗号鍵で暗号化した暗号電文を遊技機へ送信し、これを受信した遊技機は新たに生成した貸出装置と共通の暗号鍵で暗号電文を復号化するとともに貸出装置に送信した認証用電文と比較し、遊技機から送信した認証用電文と遊技機が受信して復号した認証用電文とが一致することで相互認証が完了するようにしたので、貸出装置と遊技機双方の暗号化・復号化機能で信頼性の高い相互認証を行うことができる。
【００３７】
また、請求項１１に係る遊技システムによれば、前記貸出装置は、当該貸出装置の個体を識別できる貸出装置固有情報を保持するものとし、前記貸出装置固有情報を含む認証用電文を貸出装置より遊技機へ送信し、これを受信した遊技機は貸出装置固有情報を記憶するとともに認証用電文を新たに生成した暗号鍵で暗号化した暗号電文を貸出装置へ送信し、これを受信した貸出装置は新たに生成した遊技機と共通の暗号鍵で暗号電文を復号化するとともに遊技機に送信した認証用電文と比較し、貸出装置から送信した認証用電文と貸出装置が受信して復号した認証用電文とが一致することで相互認証が完了するようにしたので、遊技機の暗号化機能と貸出装置の復号化機能で簡易に相互認証を行うことができる。
【００３８】
また、請求項１２に係る遊技システムによれば、前記貸出装置は、当該貸出装置の個体を識別できる貸出装置固有情報を保持するものとし、前記貸出装置固有情報を含む認証用電文を貸出装置内で新たに生成した暗号鍵により暗号化した暗号化電文を貸出装置より遊技機へ送信し、これを受信した遊技機は新たに生成した貸出装置と共通の暗号鍵で暗号化電文を復号化し、復号化した認証用電文の貸出装置固有情報を記憶するとともに認証用電文を新たに生成した暗号鍵で暗号化した暗号電文を貸出装置へ送信し、これを受信した貸出装置は新たに生成した遊技機と共通の暗号鍵で暗号電文を復号化するとともに遊技機に送信した認証用電文と比較し、貸出装置から送信した認証用電文と貸出装置が受信して復号した認証用電文とが一致することで相互認証が完了するようにしたので、貸出装置と遊技機双方の暗号化・復号化機能で信頼性の高い相互認証を行うことができる。
【００３９】
また、請求項１３に係る遊技システムによれば、前記請求項９〜請求項１２に記載の遊技システムにおける相互認証を複数組み合わせ、組み合わせた複数の相互認証が全て完了することによって認証条件が達成されるようにしたので、相互認証の信頼性を一層高めることができる。
【００４０】
また、請求項１４に係る遊技システムによれば、前記貸出装置と前記遊技機との間で最初に行う初回相互認証のときに取得した相手機器の固有情報を初期固有情報として記憶保持する初期固有情報記憶手段と、前記初期固有情報記憶手段に初期固有情報が記憶された後に行う相互認証で取得した相手機器の固有情報が初期固有情報と一致するか否かに基づいて、接続対象の相手機器が変更された異常の有無を判定する接続異常判定手段と、を備えるので、認証手段による相互認証に加えて、相手機器の個体変更も接続異常と判定でき、一層信頼性の高いシステムとなる。
【００４１】
また、請求項１５に係る遊技システムによれば、前記貸出装置の認証手段と前記遊技機の認証手段は、共に通信機能を備え、認証用電文を直接やりとりするようにしたので、各認証手段の内部をブラックボックス化でき、相互認証のセキュリティを一層高めることができる。
【００４２】
また、請求項１６に係る遊技システムによれば、前記貸出装置の認証手段と前記遊技機の認証手段は、共に通信機能を持たず、貸出装置および遊技機の各制御基板が備える通信機能によって認証用電文のやりとりを行うようにしたので、各認証手段はコプロセッサ的な位置付けとなり、貸出装置と遊技機における各制御基板の設計の自由度を高めることができる。
【００４３】
また、請求項１７に係る遊技システムによれば、前記貸出装置と前記遊技機との信号接続構造は、遊技機より一方的に出力される遊技機状態出力信号と、貸出装置と遊技機間で双方向通信する遊技媒体の貸出に関する貸出関連信号とを、各々異なる信号線束に分離し、前記遊技機の認証手段からの送信は遊技機状態出力信号線束を通じて行い、前記貸出装置の認証手段からの送信は貸出関連信号線束を通じて行うようにしたので、貸出装置と遊技機の相互認証を遊技機状態出力信号線束と貸出関連信号線束に分けて行うことができる。
【００４４】
また、請求項１８に係る遊技システムによれば、前記貸出装置と前記遊技機との信号接続構造は、遊技機より一方的に出力される遊技機状態出力信号と、貸出装置と遊技機間で双方向通信する遊技媒体の貸出に関する貸出関連信号とを、各々異なる信号線束に分離し、前記遊技機の認証手段からの送信および前記貸出装置の認証手段からの送信は、共に貸出関連信号線束を通じて行うようにしたので、貸出装置と遊技機の相互認証を貸出関連信号線束に集約して行うことができる。
【００４５】
また、請求項１９に係る遊技システムによれば、前記貸出装置と前記遊技機との信号接続構造は、遊技機より一方的に出力される遊技機状態出力信号と、貸出装置と遊技機間で双方向通信する遊技媒体の貸出に関する貸出関連信号とを、同じ信号線束に統合し、前記遊技機の認証手段からの送信および前記貸出装置の認証手段からの送信は、共に統合信号線束を通じて行うようにしたので、貸出装置と遊技機の相互認証を統合信号線束に集約して行うことができる。
【００４６】
また、請求項２０に係る遊技システムによれば、前記統合信号線束を介して遊技機から貸出装置へ送信する遊技機状態出力信号には、少なくとも大当り、図柄停止、確率変動、時間短縮、不正検知、発射数、賞球数の各状態を含むようにしたので、遊技機の主な遊技機状態に関する情報を貸出装置で集中的に取り扱うことが可能となる。
【図面の簡単な説明】
【００４７】
【図１】本発明に係る遊技システムの第１実施形態を示す概略構成図である。
【図２】第１実施形態に係る遊技システムの運用例を示す説明図である。
【図３】本発明に係る遊技システムの第２実施形態を示す概略構成図である。
【図４】第２実施形態の遊技システムの第１構成例を示す詳細構成図である。
【図５】貸出装置電源投入処理と遊技機電源投入処理を示すフローチャートである。
【図６】貸出装置の遊技機ＩＤ記憶更新処理を示すフローチャートである。
【図７】第２実施形態の遊技システムの第２構成例を示す詳細構成図である。
【図８】本発明に係る遊技システムの第３実施形態を示す概略構成図である。
【図９】本発明に係る遊技システムの第４実施形態を示す概略構成図である。
【図１０】本発明に係る遊技システムの第５実施形態を示す概略構成図である。
【図１１】本発明に係る遊技システムの第６実施形態を示す概略構成図である。
【図１２】本発明に係る遊技システムの第７実施形態を示す概略構成図である。
【図１３】本発明に係る遊技システムの第８実施形態を示す概略構成図である。
【図１４】第８実施形態の遊技システムの第１構成例を示す詳細構成図である。
【図１５】第８実施形態の遊技システムの第２構成例を示す詳細構成図である。
【図１６】本発明に係る遊技システムの第９実施形態を示す概略構成図である。
【図１７】第９実施形態に係る遊技システムの改変例を示す概略構成図である。
【発明を実施するための形態】
【００４８】
次に、本発明に係る遊技システムの実施形態を添付図面に基づいて説明する。なお、本実施形態では、遊技媒体である遊技球の貸出機能を備えたＣＲ遊技機と、現金やプリペイドカード等を受け入れて遊技球の貸出制御を行う貸出装置とで構成した遊技システムとして説明するが、これに限定されるものではなく、例えば、遊技媒体としてコイン形状の遊技メダルを使うスロット式遊技機と、これに対応して接続されたメダル貸出装置からなる遊技システムにも適用可能である。
【００４９】
図１は、貸出装置１１０とＣＲ遊技機２１０から構成した遊技システムであり、貸出装置１１０とＣＲ遊技機２１０が相互に正規の接続相手であると認証することで、双方が適正動作可能となり、貸出装置１１０の遊技球貸出制御によって遊技者に遊技球を貸し出し、貸し出された遊技球を用いてＣＲ遊技機２１０での弾球遊技が行えるのである。
【００５０】
遊技球貸出機能を有する貸出装置１１０は、主たる制御を司る主制御基板１０１を備える。遊技媒体の貸出には、現金、プリペイドカードやチャージされた会員カード等を使うことができる。現金を使う場合、貨幣投入口１０２ａから投入された貨幣Ｍを貨幣識別部１０２ｂによって識別（真贋の鑑別および貨幣価値の判定）し、貨幣識別部１０２ｂから投入金額の通知を受けた主制御基板１０１の制御により、投入金額に応じた遊技球がＣＲ遊技機２１０から払い出される。プリペイドカードや会員カードなどの価値等記録媒体Ｃを使う場合、媒体投入口１０３ａから投入されて記録媒体保持部１０３ｂに保持される価値等記録媒体Ｃの記録情報を媒体Ｒ／Ｗ部１０３ｃが読み取り、媒体Ｒ／Ｗ部１０３ｃから記録情報を受けた主制御基板１０１の制御により、遊技球がＣＲ遊技機２１０から払い出される。なお、投入貨幣Ｍの金額や価値等記録媒体Ｃの利用可能情報（残額や度数など）を表示／操作部１０４に表示し、遊技者が表示／操作部１０４を操作して選択した金額や度数分の遊技球を借りることができる。
【００５１】
主制御基板１０１は、貸出信号中継基板１０５を介して、ＰＩＦケーブル（図示省略）によりＣＲ遊技機２１０と接続され、遊技球貸出信号（例えば、遊技機準備状態信号、遊技機貸出完了信号、貸出装置準備状態信号、貸出装置貸出要求信号）の授受を行って、所定数の遊技球払出を行う。なお、ＣＲ遊技機２１０は、遊技球の最小貸出単位を１度数（例えば、１００円で２５個分に相当する価値）とし、度数単位での払出が可能な球払出機能を備えるものである。なお、貸出装置１１０としては、遊技球を１個単位で払い出す機能を搭載することも可能であり、ＣＲ遊技機２１０側が個数単位払出に対応している場合には、１個単位払出Ｉ／Ｆに基づく貸出信号の送受信によって、個数単位の払い出しを行うように構成することも可能である。
【００５２】
また、貸出装置１１０とＣＲ遊技機２１０とは、例えば、電源投入時に接続確認を行って、適正な接続相手と確認できなければ、正常に起動できない。このため、貸出装置１１０の主制御基板１０１は、電源部１０６からの電源供給を受けて動作すると、遊技機２１０から信号線を介して供給された電源を使ってＩ／Ｆ用電力を生成し、貸出信号中継基板１０５を介してＩ／Ｆ用電力をＣＲ遊技機２１０へ供給し、ＣＲ遊技機２１０が正常起動可能な状態にあれば、供給されたＩ／Ｆ用電力から接続確認信号を生成して貸出装置１１０へ送信し、この接続確認信号を受けた貸出装置１１０側でＣＲ遊技機２１０が正常接続されていると確認できる。なお、貸出装置１１０に台別設定記憶部１０７を設け、接続対象の遊技機種を記憶させておき、その対象機種に応じた接続確認を行うようにしても構わない。
【００５３】
上記のようにして、貸出装置１１０とＣＲ遊技機２１０が正常稼働した後、貸出装置１１０で遊技媒体の貸出動作が実行されると、その取引情報等を外部へ送信したり、取引のための顧客情報等を外部から受けたりする。例えば、外部機器通信用中継基板１０８を介して、当該遊技店に設置されたホールコンピュータ３００へ各種の売上信号やエラー信号を送信し、顧客／持玉管理サーバ４００から価値等記録媒体Ｃに紐付けされた顧客／持玉データを受信し、価値等記録媒体Ｃの使用あるいはチャージにより更新された顧客／持玉データを顧客／持玉管理サーバ４００へ送信し、プリペイドシステム管理コンピュータ５００へプリペイド取引データを送信する。
【００５４】
さらに、本実施形態に係る遊技システムは、貸出装置１１０とＣＲ遊技機２１０との間に相互認証専用の信号線を備え、貸出装置１１０の主制御基板１０１に設けた認証手段１１１とＣＲ遊技機２１０に設けた認証手段２１１とが、予め定めた認証手法によって相互に認証を行うことで、双方が正当な接続対象機器であると判断できなければ、貸出装置１１０とＣＲ遊技機２１０は何れも正常起動しないようにした。
【００５５】
すなわち、貸出装置１１０の主制御基板１０１に設けた認証手段１１１とＣＲ遊技機２１０に設けた認証手段２１１は、共通の暗号化・復号化機能によって認証用電文の暗号化および復号化を行えるものであり、貸出装置１１０とＣＲ遊技機２１０とが相互に正当な接続相手先である事を認証するための所定の認証用電文を暗号通信する事で相互認証し、認証の結果、双方が正当な接続先であると判断した場合に限り、貸出装置１１０およびＣＲ遊技機２１０が正常動作するようにしたので、貸出装置１１０とＣＲ遊技機２１０の通信経路に不正基板が取り付けられたり、不正な改竄ケーブルで貸出装置１１０とＣＲ遊技機２１０を接続したような場合には、相互認証が成立せず、貸出装置１１０及び遊技機２１０が正常動作しない。よって、不正に遊技球が払い出されるような事態を確実に回避でき、信頼性の高い遊技システムとなる。しかも、認証用電文の送受信を貸出装置１１０の認証手段１１１とＣＲ遊技機２１０の認証手段２１１が直接やりとりすることで、各認証手段１１１，２１１の内部をブラックボックス化でき、相互認証のセキュリティを一層高めることができる。
【００５６】
また、貸出装置１１０の認証手段１１１とＣＲ遊技機２１０の認証手段２１１で行う相互認証の手法は特に限定されるものではなく、暗号化・復号化に用いる暗号鍵が両者で適正なものと判定できれば、お互いが適正な相手機器と接続されているものとして通常稼働させるようにすればよい。貸出装置１１０とＣＲ遊技機２１０の両者で行う相互認証のために、暗号化および復号化のための共通秘密鍵を両者が持つようにしても良いし、暗号化鍵と復号化鍵を分けて両者に各々持たせる公開鍵方式でも良い。
【００５７】
例えば、貸出装置１１０の認証手段１１１とＣＲ遊技機２１０の認証手段２１１で、同一の共通暗号鍵が記憶されている認証チップを用い、貸出装置１１０またはＣＲ遊技機２１０の一方で認証用電文を暗号化して他方へ送信すると、これを受けた側で復号化すれば元の認証用電文を得ることができる。そこで、認証用電文の暗号化・復号化機能が貸出装置１１０とＣＲ遊技機２１０の双方で適正かどうかを判定できるように、認証用電文の送信手順を定めておけばよい。認証用電文の送信手順として、例えば、一方から平分の認証用電文を送信し、受信側では認証用電文を暗号化して暗号化認証用電文を送り返し、送り返された暗号化認証用電文を復号化した認証用電文が元の認証用電文と一致しているかを判定するものでも良いし、逆に、一方から暗号化した認証用電文を送って、他方で復号化した平分の認証用電文を送り返して、元の認証用電文に復号されているかを判定するものでも良いし、これらを組み合わせて、双方の認証機能の適否を厳格に判定するようにしても良い。
【００５８】
さらに、貸出装置１１０の認証手段１１１とＣＲ遊技機２１０の認証手段２１１の暗号化・復号化に用いる暗号鍵を固定情報とせず、暗号鍵自体を任意に変更できるようにしても構わない。例えば、ある初期値（タネ：シード）から別系列の疑似乱数列（暗号鍵）を生成するアルゴリズムを実行する暗号鍵生成手法がシード交換方式として知られている。タネ（シード）となる疑似乱数値を共通の初期値とした場合、同じ順番の疑似乱数値は同一の値になるのでこれを暗号鍵として用いるのである。送信側と受信側では、この乱数生成アルゴリズムを共通に有していて、あるタイミングでシードと順番が分かれば、暗号鍵自体の交換が不要な暗号システムが成立する。そして、暗号鍵生成のアルゴリズム自体は秘匿されているので、暗号鍵生成の初期値が知られるようなことがあっても、貸出装置１１０の認証手段１１１とＣＲ遊技機２１０の認証手段２１１で共通に用いる暗号鍵自体は第三者に知られることはないので、貸出装置１１０の認証手段１１１とＣＲ遊技機２１０の認証手段２１１で行う相互認証の信頼性は高いものとなる。
【００５９】
このように、貸出装置１１０およびＣＲ遊技機２１０が備える各認証手段１１１，２１１は、鍵生成のための共通の暗号鍵初期化情報を入力して同一系列の疑似乱数値を順次生成して内部に保持する暗号鍵生成機能を含み、この内部生成した暗号鍵を外部に通知することなく認証用電文の暗号化・復号化に用いるようにすれば、認証に用いる暗号鍵自体が外部に漏洩する危険性が無く、貸出装置１１０とＣＲ遊技機２１０との相互認証の信頼性を一層高めることができる。
【００６０】
さらに、貸出装置１１０およびＣＲ遊技機２１０が備える認証手段１１１，２１１の暗号鍵生成機能は、暗号化および復号化による認証の実行毎に、或いは暗号化または復号化の何れかを実行する毎に、所定の手順で新たな暗号鍵を生成することにより、貸出装置１１０の認証手段１１１とＣＲ遊技機２１０の認証手段２１１が更新された共通の暗号鍵を利用できるようにすれば、暗号鍵初期化情報から直接生成される暗号鍵とは異なる暗号鍵に順次更新されてゆき、相互認証の信頼性維持に寄与できる。
【００６１】
なお、稼働中のノイズや瞬断、停電等に起因して貸出装置１１０とＣＲ遊技機１２０が使う暗号鍵の同期がずれた場合を考慮し、前後数個分の暗号鍵を記憶保持しておき、これらの暗号鍵で認証用電文の復号を試み、いずれかの暗号鍵で復号できれば、その暗号鍵を基準とするように再設定して、相手機器との同期を図るようにしても良い。また、貸出装置１１０側で所定回数の認証（復号化）に失敗した時には、暗号鍵初期化情報の通知から再開して、暗号鍵の同期を図るように自動修復するようにしても良い。斯くすれば、認証失敗による機器の稼働停止を低減できるので、遊技店での省力化に寄与できる。
【００６２】
上述したシード交換方式によって、暗号鍵を貸出装置１１０の認証手段１１１とＣＲ遊技機２１０の認証手段２１１の内部で生成する場合、そのための暗号鍵初期化情報の選定方法や貸出装置１１０とＣＲ遊技機２１０での共有方法は、特に限定されるものではないが、幾つかの具体例を図２に基づき説明する。
【００６３】
例えば、貸出装置１１０側に暗号鍵初期化情報生成手段１１２を設けておき、紙幣識別機１０２への紙幣投入や記録媒体Ｒ／Ｗ１０３による価値等記録媒体Ｃの受け入れに起因する不作為情報（紙幣やカードの投入日時、投入カードの固有ＩＤ、金額情報、これらの組み合わせ等）から所定の演算手法によってランダムに暗号鍵初期化情報を生成できるようにする。そして、貸出装置１１０の電源投入時などのリセット動作がなされた時に暗号鍵初期化情報を決定し、貸出装置１１０自身の認証手段１１１の暗号鍵を更新すると同時に、この暗号鍵初期化情報をＣＲ遊技機２１０に通知し、ＣＲ遊技機２１０側でもこの暗号鍵初期化情報を使って認証手段２１１の暗号鍵を更新させれば、暗号鍵を貸出装置１１０の認証手段１１１とＣＲ遊技機２１０の認証手段２１１の暗号鍵を同期させておくことができる。或いは、ＣＲ遊技機２１０の電源投入時などのリセット動作がなされたタイミングを検知して、貸出装置１１０側で暗号鍵初期化情報を決定するようにしても良い。
【００６４】
すなわち、貸出装置１１０およびＣＲ遊技機２１０の各認証手段１１１，１２１が暗号鍵生成機能により暗号鍵を生成するための暗号鍵初期化情報を、貸出装置１１０に設けた暗号鍵初期化情報生成手段１１２によってランダムに生成し、生成した暗号鍵初期化情報を貸出装置１１０からＣＲ遊技機２１０へ通知することで、双方が共通の暗号鍵初期化情報により共通の暗号鍵を生成できるようにすれば、暗号鍵初期化情報自体の秘匿性を高めることができ、相互認証の信頼性維持に寄与できる。
【００６５】
加えて、貸出装置１１０の暗号鍵初期化情報生成手段１１２は、貸出装置１１０の稼働中にランダムに生ずるイベントの中から予め定めた初期化情報更新イベントが発生することに基づいて暗号鍵初期化情報を生成することにより、暗号鍵初期化情報の更新タイミングがランダムになるようにすれば、暗号鍵初期化情報自体の秘匿性を一層高めることができ、相互認証の信頼性維持に寄与できる。
【００６６】
また、貸出装置１１０およびＣＲ遊技機２１０の認証手段が、暗号鍵生成機能により暗号鍵を生成するための暗号鍵初期化情報は、貸出装置１１０に搭載された通信手段によって貸出装置１１０の外部から取得し、取得した暗号鍵初期化情報を貸出装置１１０からＣＲ遊技機２１０へ通知することで、双方が共通の暗号鍵初期化情報により共通の暗号鍵を生成できるようにすれば、任意の暗号鍵初期化情報を外部から任意のタイミングで供給でき、相互認証の信頼性向上に寄与できる。
【００６７】
貸出装置１１０が取得する暗号鍵生成用の暗号鍵初期化情報は、当該貸出装置１１０が遊技店内通信ネットワークを介して接続された店舗内の店舗管理コンピュータ６００（ホールコンピュータ３００や顧客／持玉管理サーバ４００やプリペイドシステム管理コンピュータ５００等の店舗に設置される管理コンピュータの総称）から供給されるようにすれば、暗号鍵初期化情報を店舗管理コンピュータ６００で管理できるので、店舗内の各貸出装置１１０に一斉に暗号鍵初期化情報を送信したり、任意のタイミングで特定の貸出装置１１０へ個別に暗号鍵初期化情報を送信したりできる。なお、店舗管理コンピュータ６００からの操作により、貸出装置１１０側での認証チェックを行わない設定に変更できるようにしても良い。斯くすれば、遊技店の工事中や仮設置状態のとき、貸出装置１１０単体での動作確認や故障発生時の原因切り分けなどを行うとき、ＣＲ遊技機２１０との接続を行う必要が無いので、利便性を高めることができる。
【００６８】
また、貸出装置１１０が取得する暗号鍵生成用の暗号鍵初期化情報は、当該貸出装置１１０が遊技店内通信ネットワークおよび広域通信網を介して接続された店舗外のセキュリティ管理サーバ７００から供給されるようにすれば、暗号鍵初期化情報をセキュリティ管理サーバで管理でき、管理対象である全店舗へ一斉に暗号鍵初期化情報を送信したり、任意のタイミングで特定の店舗へ個別に暗号鍵初期化情報を送信したりできる。
【００６９】
上述した第１実施形態の遊技システムでは、貸出装置１１０とＣＲ遊技機２１０とで相互認証を行うための信号を授受するために新たな信号線を追加したが、既存の接続ケーブル構造を活かして相互認証を行うようにすることも可能である。
【００７０】
図３に示す第２実施形態の遊技システムにおいては、ＣＲ遊技機２２０より一方的に出力される遊技機状態出力信号を束ねた遊技機状態出力信号線束と、貸出装置１２０とＣＲ遊技機２２０との間で双方向通信する遊技媒体の貸出に関する貸出関連信号を束ねた貸出関連信号線束とに分離して、貸出装置１１０と遊技機２１０とを接続した信号接続構造に本発明を適用したものである。
【００７１】
例えば、貸出装置１２０の認証手段１２１からの送信およびＣＲ遊技機２２０の認証手段２２１からの送信を、共に双方向通信の貸出関連信号線束を通じて行うようにすれば、貸出装置１１０とＣＲ遊技機２１０の相互認証を貸出関連信号線束に集約して行うことができる。また、ＣＲ遊技機２２０の認証手段２２１からの送信は単方向通信の遊技機状態出力信号線束を通じて行い、貸出装置１１０の認証手段１１１からの送信は双方向通信の貸出関連信号線束を通じて行うようにすれば、貸出装置１１０とＣＲ遊技機２１０の相互認証を遊技機状態出力信号線束と貸出関連信号線束に分けて行うことができる。なお、貸出装置１２０とＣＲ遊技機２２０との双方向通信は、貸出装置１２０からＣＲ遊技機２２０への単方向通信線とＣＲ遊技機２２０から貸出装置１２０への単方向通信線を組み合わせることで実現しても構わない。
【００７２】
また、本実施形態の遊技システムでは、貸出装置１２０に遊技機状態信号入力基板１２２を設けて、遊技機状態出力線束を接続し、この遊技機状態信号入力基板１２２を介して賞球信号等の外部端子出力情報を受けると共に、遊技機ＩＤ信号から遊技機２２０の個体を識別できる遊技機固有情報を取得できるものとした。
【００７３】
図４は、第２実施形態に係る遊技システムを貸出装置１２０ＡとＣＲ遊技機２２０Ａで構成した第１構成例を示すもので、主制御基板２０１の遊技機用セキュリティチップ等に記憶されている遊技機固有情報を払出制御基板２０２が読み出し、固有番号送信バッファ２０２ａに一時記憶し、固有番号を遊技機外部端子板２０３を介して遊技機固有情報を貸出装置１２０Ａへ送信する。なお、図４に示す第２実施形態の第１構成例においては図示を省略したが、貸出装置１２０Ａの主制御基板１０１は外部ネットワーク通信Ｉ／Ｆを備えており、外部機器通信用中継基板１０８を介して店内ネットワーク上の外部機器との通信が可能である。
【００７４】
この遊技機固有情報を遊技機状態信号入力基板１２２を介して受信した貸出装置１２０Ａでは、主制御基板１０１の固有番号受信バッファ１０１ａに一時記憶し、台別設定記憶部１０７に既に記憶されている固有番号と固有番号受信バッファ１０１ａに記憶されている固有番号とを比較手段１０１ｂによって比較し、両者が一致していなければ、表示／操作部１０４によってエラー報知を行う。すなわち、ＣＲ遊技機２２０Ａから新たに送信された遊技機固有情報が以前の遊技機固有情報と異なっていた場合には、主制御基板２０１の制御ＣＰＵを交換する等の不正が行われた可能性があるため、これを報知するのである。
【００７５】
なお、ＣＲ遊技機２２０Ａを別の個体に交換する場合には、初期設定モードで接続確認を行わせることにより、貸出装置１２０Ａの記憶制御手段１０１ｃが有効となり、固有番号受信バッファ１０１ａに一時記憶された遊技機固有情報を初期固有情報として台別設定記憶部１０７に記憶させ、以降は、この台別設定記憶部１０７に記憶された遊技機固有情報が比較対象となる。
【００７６】
以上のように、ＣＲ遊技機２２０Ａの遊技機固有情報は、貸出装置１２０Ａで接続対象のＣＲ遊技機２２０Ａの同一性を確認するための情報として使うことができるものである。そして、本実施形態の遊技システムでは、この遊技機固有情報を認証用電文として用いるようにした。なお、認証用電文としての遊技機固有情報を遊技機外部端子板２０３から出力する本構成例では、ＣＲ遊技機２２０Ａの認証手段２２１からの送信は単方向通信の遊技機状態出力信号線束を通じて行い、貸出装置１１０の認証手段１１１からの送信は双方向通信の貸出関連信号線束を通じて行うものとなる。
【００７７】
ＣＲ遊技機２２０Ａから貸出装置１２０Ａへ送信する遊技機固有情報を平文の認証用電文として受けた貸出装置１２０Ａでは、認証手段１２１によって遊技機固有情報を暗号化（暗号化実行に際して、暗号鍵は新たに生成して使う。）し、貸出信号中継基板１０５より暗号化固有情報としてＣＲ遊技機２２０Ａへ送信し、これを貸出装置接続端子板２０４を介して受けたＣＲ遊技機２２０Ａでは、払出制御基板２０２の認証手段２２１によって復号化（復号化実行に際して、暗号鍵は新たに生成して使うので、貸出装置１２０Ａの認証手段１２１が使った暗号鍵と同じ暗号鍵に更新される。）し、復号化した認証用電文である遊技機固有情報が固有情報送信バッファ２０２ｂに一時記憶されている遊技機固有情報と一致するか比較手段２０２ｂにより比較され、比較手段２０２ｂが一致していると判定すれば、制御信号生成入力部２０２ｃが正常に機能するようになり、貸出装置１２０Ａとの接続確認や遊技媒体貸出制御のための信号の授受が可能になる。なお、貸出装置１２０ＡとＣＲ遊技機２２０Ａの起動時には、ＣＲ遊技機１１０Ａの遊技機電源２０５から貸出装置１２０Ａに電源供給し、これを元にＩ／Ｆ用電力生成出力制御部１０９が生成したＩ／Ｆ用電力をＣＲ遊技機２２０Ａに供給すると、これを検知した制御信号生成入力部２０２ｃが接続確認信号を貸出装置１２０Ａへ出力することで、貸出装置１２０ＡとＣＲ遊技機２２０Ａの双方で接続確認を行うプロセスも実行する。また、ＣＲ遊技機２２０Ａの認証手段２２１は、払出制御基板２０２に設けず、主制御基板２０１に設けても構わない。
【００７８】
上述したように、ＣＲ遊技機２２０Ａは、自らの個体を識別できる遊技機固有情報を保持するものとし、遊技機固有情報を含む認証用電文をＣＲ遊技機２２０Ａより貸出装置１２０Ａへ送信し、これを受信した貸出装置１２０Ａは遊技機固有情報を記憶するとともに認証用電文を新たに生成した暗号鍵で暗号化した暗号電文をＣＲ遊技機２２０Ａへ送信し、これを受信したＣＲ遊技機２２０Ａは新たに生成した貸出装置１２０Ａと共通の暗号鍵で暗号電文を復号化するとともに貸出装置１２０Ａに送信した認証用電文と比較し、ＣＲ遊技機２２０Ａから送信した認証用電文とＣＲ遊技機２２０Ａが受信して復号した認証用電文とが一致することで相互認証が完了するようにすれば、貸出装置１２０Ａの暗号化機能とＣＲ遊技機２２０Ａの復号化機能で簡易に相互認証を行うことができる。なお、貸出装置１２０Ａの認証手段１２１とＣＲ遊技機２２０Ａの認証手段２２１の暗号鍵は自動更新せず、暗号鍵初期化情報に基づいて生成した暗号鍵を使い続けるようにしても良い。また、ＣＲ遊技機２２０Ａより送信されて貸出装置１２０Ａが保持している遊技機固有情報を貸出装置１２０Ａ側の操作で表示・確認できる様にしても良い。ＣＲ遊技機２２０Ａの遊技機固有情報を遊技店の係員等が目視確認できるようになっていれば、貸出装置１２０Ａが記憶している遊技機固有情報と実際に接続されているＣＲ遊技機２２０Ａの遊技機固有情報が不一致で認証に失敗した状況を迅速に判断できる。
【００７９】
ここで、上述した貸出装置１２０ＡとＣＲ遊技機２２０Ａの電源投入時に行われる相互認証の流れを図５に基づき説明する。図５では、ＣＲ遊技機２２０Ａの起動処理と貸出装置１２０Ａの起動処理とを並記することで、相互に行う信号の送受信の時系列な流れを分かり易くした。
【００８０】
先ず、ＣＲ遊技機２２０Ａは、電源投入により、自己診断を行い（ステップＳ１０１）、診断結果に異常があるか否かを判定する（ステップＳ１０２）。このステップＳ１０２の判定で異常がなければ、貸出装置１２０Ａが正常に稼働することで入力される貸出装置スタンバイ信号の入力を待つ（ステップＳ１０３）。もし、ステップＳ１０２で異常有りと判定された場合には、エラー表示等を行って異常停止し（ステップＳ１０４）、遊技媒体貸出処理を行うことはない。
【００８１】
一方、貸出装置１２０Ａは、電源投入により、自己診断および自己モード確認（例えば、１度数当たり貸出個数や１度数当たり消費金額等の設定情報の確認）を行い（ステップＳ２０１）、確認結果として異常があるか否かを判定する（ステップＳ２０２）。このステップＳ２０２の判定で異常がなければ、ＣＲ遊技機２２０Ａへ貸出装置スタンバイ信号を出力し（ステップＳ２０３）、ＣＲ遊技機２２０Ａから認証用電文が入力されるのを待つ（ステップＳ２０４）。もし、ステップＳ２０２で異常有りと判定された場合には、貸出装置１２０Ａの適所に設けたエラー表示灯等でエラー表示を行うと共に、ホールコンピュータ３００やプリペイドシステム管理コンピュータ５００等の上位システムへ異常検知を報告し（ステップＳ２０５）、遊技媒体貸出処理を行うことはない（ステップＳ２０６）。
【００８２】
上記のようにして、貸出装置１２０Ａから貸出装置スタンバイ信号を受信したＣＲ遊技機２２０Ａは、自らの遊技機固有情報（遊技機ＩＤ）を含む認証用電文を生成し（ステップＳ１０５）、生成した認証用電文を貸出装置１２０Ａへ送信し（ステップＳ１０６）、認証情報を比較用に固有番号送信バッファ２０２ａに記憶し（ステップＳ１０７）、貸出装置１２０Ａからの認証応答電文を待つ（ステップＳ１０８）。
【００８３】
一方、上記ステップＳ２０４で認証用電文の入力待ちをしていた貸出装置１２０Ａが認証用電文を受けると、この認証用電文から遊技機固有情報を読み出し（ステップＳ２０７）、暗号化により認証応答電文を生成し（ステップＳ２０８）、生成した認証応答電文を遊技機２２０Ａへ送信する（ステップＳ２０９）。
【００８４】
続いて、貸出装置１２０Ａでは、ＣＲ遊技機２２０Ａからの認証用電文に遊技機固有情報が有ったか否かを判定し（ステップＳ２１０）、遊技機固有情報が有った場合には、記憶済み遊技機固有情報（既に台別設定記憶部１０７に記憶されている遊技機固有情報）と新たに受信した遊技機固有情報を比較し（ステップＳ２１１）、両方の遊技機固有情報が一致したか否かを判定し（ステップＳ２１２）、一致していると判定されれば、ＣＲ遊技機２２０Ａからの遊技機スタンバイ信号の入力を待つ（ステップＳ２１３）。
【００８５】
しかしながら、上記ステップＳ２１２で、記憶済みの遊技機固有情報と同じではないと判定された場合には、上記ステップＳ２０５へ移行し、エラー表示灯等でエラー表示を行うと共に、ホールコンピュータ３００やプリペイドシステム管理コンピュータ５００等の上位システムへ異常検知を報告し、異常停止する。すなわち、記憶済みの遊技機固有情報と今回受信した遊技機固有情報が異なることから、ＣＲ遊技機２２０Ａに対する不正改竄が疑われるため、貸出装置１２０Ａの動作を規制することで、不正な遊技が行われることを防止できる。
【００８６】
なお、新装開店などでＣＲ遊技機２２０Ａの入れ替えを行った場合など、貸出装置１２０Ａの記憶する遊技機固有情報を新たな遊技機固有情報に更新する処理の一例を説明する。図６は遊技機ＩＤ更新処理を示すもので、上記ステップＳ２０６で貸出装置異常停止になった場合、或いは出荷直後の初期状態（台別設定記憶部１０７に遊技機固有情報が記憶されていない状態）で、遊技場の係員等が行う更新処理の操作を待ち（ステップＳ３１）、接続中遊技機ＩＤへの更新操作が行われたか否かを判定する（ステップＳ３２）。なお、遊技機ＩＤの更新操作は、貸出装置１２０Ａに設けた操作パネル等で行うようにしても良いし、係員等が所持するリモコンから行うようにしても良い。そして、更新操作があると、接続中のＣＲ遊技機２２０Ａの遊技機固有情報（受信遊技機ＩＤ）を正規の接続遊技機として記録し（ステップＳ３３）、記録した遊技機固有情報を上位システム（ホールコンピュータ３００等）に通知する（ステップＳ３４）。このように、貸出装置１２０Ａで遊技機ＩＤ記憶更新処理を行えば、ホールコンピュータ３００等へ更新された遊技機固有情報を送信できるので、台入替時の設定変更が自動的に行われることとなり、旧来のように手入力で設定操作を行う必要が無く、入れ替え作業の効率化を図れると共に、入力ミス等によって情報の信頼性が損なわれることもない。
【００８７】
一方、貸出装置１２０Ａから認証応答電文を受信したＣＲ遊技機２２０Ａは、認証用応答電文から認証情報を復号し（ステップＳ１０９）、比較用に固有番号送信バッファ２０２ａに記憶しておいた遊技機固有情報と、認証応答電文を復号して得た遊技機固有情報とが一致するか比較し（ステップＳ１１０）、一致していると判定されれば遊技機スタンバイ信号を貸出装置１２０Ａへ出力する（ステップＳ１１１）。
【００８８】
しかしながら、上記ステップＳ１１０において、遊技機固有情報が一致しないと判定された場合には、遊技機異常報知を行い（ステップＳ１１２）、異常停止する（ステップＳ１１３）。すなわち、貸出装置１２０ＡとＣＲ遊技機２２０Ａが互いに同じ暗号鍵に基づく暗号化・復号化を行っていないことから、貸出装置１２０Ａを精機の接続機器ではないとＣＲ遊技機２２０Ａで判定し、遊技媒体貸出制御を行わないのである。なお、認証用電文の送受信中にノイズ混入によるエラーが発生したような場合を考慮して、所定回数だけ認証用電文の送受信をリトライするようにしても良い。
【００８９】
上記のようにして、ＣＲ遊技機２２０Ａから出力された遊技機スタンバイ信号の入力を受けると、貸出装置１２０Ａは、遊技媒体の貸出に関連する情報を遊技機固有情報に関連付けて、取引内容を逐次記録して行けるようにスタンバイする（ステップＳ２１４）。
【００９０】
その後、貸出装置１２０Ａは、遊技者からの貸出要求に応じて遊技媒体貸出処理を行い（ステップＳ２１５）、また、ＣＲ遊技機２２０Ａの接続断が検知されたか否かを判定し（ステップＳ２１６）、ＣＲ遊技機２２０Ａとの接続断が生じていると判定された場合には、ステップＳ２０１へ移行して、ＣＲ遊技機２２０Ａとの相互認証を改めて行う。同様に、ＣＲ遊技機２２０Ａも、貸出装置１２０Ａからの貸出要求に応じて遊技媒体貸出処理を行い（ステップＳ１１３）、また、貸出装置１２０Ａの接続断が検知されたか否かを判定し（ステップＳ１１４）、貸出装置１２０Ａとの接続断が生じていると判定された場合には、ステップＳ１０２へ移行して、貸出装置１２０Ａとの相互認証を改めて行う。
【００９１】
図７は、第２実施形態に係る遊技システムを貸出装置１２０ＢとＣＲ遊技機２２０Ｂで構成した第２構成例を示すもので、ＣＲ遊技機２２０Ｂから送信する認証用電文としての遊技機固有情報を貸出装置接続端子板２０４から貸出信号中継基板１０５へ出力し、貸出装置１２０Ｂから送信する認証用電文として暗号化固有情報を貸出中継基板１０５から貸出装置接続端子板２０４へ出力する本構成例では、ＣＲ遊技機２２０Ｂの認証手段２２１からの送信と、貸出装置１１０の認証手段１１１からの送信を、共に双方向通信の貸出関連信号線束を通じて行うものとなる。なお、図７に示す第２実施形態の第２構成例においては図示を省略したが、貸出装置１２０Ｂの主制御基板１０１は外部ネットワーク通信Ｉ／Ｆを備えており、外部機器通信用中継基板１０８を介して店内ネットワーク上の外部機器との通信が可能である。
【００９２】
この第２構成例においても、上述した第１構成例と同様に、ＣＲ遊技機２２０Ｂから平文の遊技機固有情報を貸出装置１２０Ｂへ送信し、貸出装置１２０Ｂから暗号化固有情報をＣＲ遊技機２２０Ｂへ送信するようにしても良いが、本構成例では、ＣＲ遊技機２２０Ｂからも暗号化固有情報を送信する構成例を説明する。
【００９３】
ＣＲ遊技機２２０Ｂにおける主制御基板２０１の遊技機用セキュリティチップ等に記憶されている遊技機固有情報を払出制御基板２０２が読み出し、固有番号送信バッファ２０２ａに一時記憶すると共に、これを認証手段２２１へ送信し、遊技機固有情報を受けた認証手段２２１は遊技機固有情報を暗号化（暗号化実行に際して、暗号鍵は新たに生成して使う。）した暗号化固有情報を固有番号送信バッファ２０２ａへ送り、固有番号送信バッファ２０２ａから暗号化固有情報が遊技機外部端子板２０３を介して遊技機固有情報を貸出装置１２０Ｂへ送信される。
【００９４】
この暗号化固有情報を遊技機状態信号入力基板１２２を介して受信した貸出装置１２０Ｂでは、主制御基板１０１の固有番号受信バッファ１０１ａに一時記憶すると共に認証手段１２１へ送信し、暗号化固有情報を受けた認証手段１２１は暗号化固有情報を復号化（復号化実行に際して、暗号鍵は新たに生成して使うので、ＣＲ遊技機２２０Ｂの認証手段２２１が使った暗号鍵と同じ暗号鍵に更新される。）した遊技機固有情報を固有番号受信バッファ１０１ａへ送り、台別設定記憶部１０７に既に記憶されている固有番号と固有番号受信バッファ１０１ａに記憶されている固有番号とを比較手段１０１ｂによって比較し、両者が一致していなければ、表示／操作部１０４によってエラー報知を行う。
【００９５】
比較手段１０１ｂによる比較結果が一致していれば、固有番号受信バッファ１０１ａに一時記憶してある遊技機固有情報を認証手段１２１によって暗号化（暗号化実行に際して、暗号鍵は新たに生成して使う。）し、貸出信号中継基板１０５より暗号化固有情報としてＣＲ遊技機２２０Ｂへ送信し、これを貸出装置接続端子板２０４を介して受けたＣＲ遊技機２２０Ｂでは、払出制御基板２０２の認証手段２２１によって復号化（復号化実行に際して、暗号鍵は新たに生成して使うので、貸出装置１２０Ｂの認証手段１２１が使った暗号鍵と同じ暗号鍵に更新される。）し、復号化した認証用電文である遊技機固有情報が固有情報送信バッファ２０２ｂに一時記憶されている遊技機固有情報と一致するか比較手段２０２ｂにより比較され、比較手段２０２ｂが一致していると判定すれば、制御信号生成入力部２０２ｃが正常に機能するようになり、貸出装置１２０Ｂとの接続確認や遊技媒体貸出制御のための信号の授受が可能になる。
【００９６】
上述したように、ＣＲ遊技機２２０Ｂは、自らの個体を識別できる遊技機固有情報を保持するものとし、遊技機固有情報を含む認証用電文をＣＲ遊技機２２０Ｂ内で新たに生成した暗号鍵により暗号化した暗号化電文をＣＲ遊技機２２０Ｂより貸出装置１２０Ｂへ送信し、これを受信した貸出装置１２０は新たに生成したＣＲ遊技機２２０Ｂと共通の暗号鍵で暗号化電文を復号化し、復号化した認証用電文の遊技機固有情報を記憶するとともに認証用電文を新たに生成した暗号鍵で暗号化した暗号電文をＣＲ遊技機２２０Ｂへ送信し、これを受信したＣＲ遊技機２２０Ｂは新たに生成した貸出装置１２０Ｂと共通の暗号鍵で暗号電文を復号化するとともに貸出装置に送信した認証用電文と比較し、ＣＲ遊技機２２０Ｂから送信した認証用電文と遊技機が受信して復号した認証用電文とが一致することで相互認証が完了するようにすれば、貸出装置１２０ＢとＣＲ遊技機２２０Ｂ双方の暗号化・復号化機能で信頼性の高い相互認証を行うことができる。なお、貸出装置１２０Ｂの認証手段１２１とＣＲ遊技機２２０Ｂの認証手段２２１の暗号鍵は自動更新せず、暗号鍵初期化情報に基づいて生成した暗号鍵を使い続けるようにしても良い。
【００９７】
また、第２実施形態に係る遊技システムの第１，第２構成例では、ＣＲ遊技機２２０Ａ，２２０Ｂのみが個体識別可能な固有情報を持つものとしたが、貸出装置１２０に個体識別可能な貸出装置固有情報を持たせておき、この貸出装置固有情報を認証用電文に用いて相互認証を行うようにしても良い。
【００９８】
例えば、貸出装置１２０は、当該貸出装置１２０の個体を識別できる貸出装置固有情報を保持するものとし、貸出装置固有情報を含む認証用電文を貸出装置１２０よりＣＲ遊技機２２０へ送信し、これを受信したＣＲ遊技機２２０は貸出装置固有情報を記憶するとともに認証用電文を新たに生成した暗号鍵で暗号化した暗号電文を貸出装置１２０へ送信し、これを受信した貸出装置１２０は新たに生成したＣＲ遊技機２２０と共通の暗号鍵で暗号電文を復号化するとともにＣＲ遊技機２２０に送信した認証用電文と比較し、貸出装置１２０から送信した認証用電文と貸出装置１２０が受信して復号した認証用電文とが一致することで相互認証が完了するようにすれば、ＣＲ遊技機２２０の暗号化機能と貸出装置１２０の復号化機能で簡易に相互認証を行うことができる。なお、貸出装置１２０の認証手段１２１とＣＲ遊技機２２０の認証手段２２１の暗号鍵は自動更新せず、暗号鍵初期化情報に基づいて生成した暗号鍵を使い続けるようにしても良い。また、貸出装置１２０より送信されてＣＲ遊技機２２０が保持している貸出装置固有情報をＣＲ遊技機２２０側の操作で表示・確認できる様にし、且つ、貸出装置１２０の貸出装置固有情報を遊技店の係員等が目視確認できるようにしておけば、ＣＲ遊技機２２０が記憶している貸出装置固有情報と実際に接続されている貸出装置１２０の貸出装置固有情報が不一致で認証に失敗した状況を迅速に判断できる。
【００９９】
或いは、貸出装置１２０は、当該貸出装置１２０の個体を識別できる貸出装置固有情報を保持するものとし、貸出装置固有情報を含む認証用電文を貸出装置１２０内で新たに生成した暗号鍵により暗号化した暗号化電文を貸出装置１２０よりＣＲ遊技機２２０へ送信し、これを受信したＣＲ遊技機２２０は新たに生成した貸出装置１２０と共通の暗号鍵で暗号化電文を復号化し、復号化した認証用電文の貸出装置固有情報を記憶するとともに認証用電文を新たに生成した暗号鍵で暗号化した暗号電文を貸出装置１２０へ送信し、これを受信した貸出装置１２０は新たに生成したＣＲ遊技機２２０と共通の暗号鍵で暗号電文を復号化するとともにＣＲ遊技機２２０に送信した認証用電文と比較し、貸出装置１２０から送信した認証用電文と貸出装置１２０が受信して復号した認証用電文とが一致することで相互認証が完了するようにすれば、貸出装置１２０とＣＲ遊技機２２０双方の暗号化・復号化機能で信頼性の高い相互認証を行うことができる。なお、貸出装置１２０の認証手段１２１とＣＲ遊技機２２０の認証手段２２１の暗号鍵は自動更新せず、暗号鍵初期化情報に基づいて生成した暗号鍵を使い続けるようにしても良い。
【０１００】
さらに、貸出装置１２０とＣＲ遊技機２２０との間で行う相互認証は１回に限らず、上述した各種の認証工程を複数組み合わせて行い、組み合わせた複数の相互認証が全て完了することによって認証条件が達成されるようにすれば、相互認証の信頼性を一層高めることができる。
【０１０１】
また、接続相手の適否を判定するために記憶しておく相手機器の固有情報を認証用電文に用いるものとした本実施形態においては、貸出装置１２０とＣＲ遊技機２２０との間で最初に行う初回相互認証のときに取得した相手機器の固有情報（遊技機固有情報および貸出装置固有情報）を初期固有情報として記憶保持する初期固有情報記憶手段と、初期固有情報記憶手段に初期固有情報が記憶された後に行う相互認証で取得した相手機器の固有情報が初期固有情報と一致するか否かに基づいて、接続対象の相手機器が変更された異常の有無を判定する接続異常判定手段と、を備えることで、認証手段による相互認証に加えて、相手機器の個体変更も接続異常と判定でき、一層信頼性の高いシステムとなる。
【０１０２】
図８に示すのは、実球排出機能と獲得球計数機能とを備えた貸出装置１３０とこれに対応したＣＲ遊技機２３０とからなる第３実施形態の遊技システムである。なお、図８中、前述した第１，第２実施形態と同じ構成には同一符号を付して説明を省略する。
【０１０３】
貸出装置１３０は、遊技球払出部１３２と、払い出される遊技球を検出する払出センサ１３３ａにより払い出される遊技球を検出する払出球検出部１３３を備え、球払出ノズルを介してＣＲ遊技機２３０の球貯留皿へ所定数または任意数の実球を排出することができる。すなわち、ＣＲ遊技機２３０は払出最小単位である度数毎の払出にしか対応していないため、一度数に満たない半端な球数を遊技者へ払い出すために、この機能を使うことができるのである。
【０１０４】
また、貸出装置１３０には、獲得球計数部１３４を設けてあり、ＣＲ遊技機２３０で遊技者が獲得した遊技球を投入することにより、獲得球を貸出装置１３０で計数することができる。計数された獲得球の情報は、顧客／持玉管理サーバ４００へ送信されて、価値等記録媒体ＣのカードＩＤに基づく顧客情報に紐付けて管理され、景品交換や再遊技に使ったりできる。
【０１０５】
このように、実球排出機能と獲得球計数機能とを備えた貸出装置１３０を用いて遊技システムを構成すれば、１度数に満たない端数残高の処理が可能となり、遊技者の利便性を高めることができる。なお、第３実施形態においても、貸出装置１３０の認証手段１３１とＣＲ遊技機２３０の認証手段２３１とによって、上述した各種の相互認証を適宜に行うことが可能である。
【０１０６】
図９に示すのは、発射球計数機能を備えた貸出装置１４０とこれに対応したＣＲ遊技機２４０とからなる第４実施形態の遊技システムである。なお、図９中、前述した第１〜第３実施形態と同じ構成には同一符号を付して説明を省略する。
【０１０７】
貸出装置１４０の遊技機状態信号入力基板１２２には遊技球計数器１４２を接続してあり、この遊技球計数機１４２がＣＲ遊技機２４０の発射球を検出する毎に送出される発射球検出信号から、ＣＲ遊技機２４０での発射球数を主制御基板１０１で計数把握することができる。この発射球数は、ＣＲ遊技機２４０における遊技状態情報の１項目として収集管理しても良いし、暗号鍵初期化情報を生成するタイミングの判定などに用いても良く、貸出装置１４０における制御動作の幅を広げることができる。なお、第４実施形態においても、貸出装置１４０の認証手段１４１とＣＲ遊技機２４０の認証手段２４１とによって、上述した各種の相互認証を適宜に行うことが可能である。
【０１０８】
なお、本実施例では、発射球計数器１４２を別体としてＣＲ遊技機２４０に取り付けて発射球数を取得するものとしたが、これに限定されるものではなく、発射球検出手段を備えるＣＲ遊技機を接続した場合、発射球を検出した時にＣＲ遊技機の外部端子から出力される発射球検出信号を貸出装置側に出力するように構成すれば、ＣＲ遊技機での発射球数を貸出装置側で計数可能となる。
【０１０９】
図１０に示すのは、１球単位払出仕様の貸出装置１５０とＣＲ遊技機２５０とからなる第５実施形態の遊技システムである。なお、図１０中、前述した第１〜第４実施形態と同じ構成には同一符号を付して説明を省略する。
【０１１０】
貸出装置１５０は、１球単位での払出指示が可能であり、これに接続されるＣＲ遊技機２５０も１球単位での払出指示に応じた球払出が可能である。すなわち、本実施形態の遊技システムでは、既存の度数払出パラレルインターフェースを一新し、双方向シリアル通信の１球単位払出インターフェースに準じて、貸出装置１５０とＣＲ遊技機２５０を接続したものであるから、貸出装置１５０に遊技球払出部を設けなくても、１度数に満たない端数分の球払出をＣＲ遊技機２５０の球排出装置によって行うことが可能となる。なお、第５実施形態においても、貸出装置１５０の認証手段１５１とＣＲ遊技機２５０の認証手段２５１とによって、上述した各種の相互認証を適宜に行うことが可能である。
【０１１１】
図１１に示すのは、上述した第５実施形態の遊技システムと同様に、１球単位払出仕様の貸出装置１６０とＣＲ遊技機２６０とからなる第６実施形態の遊技システムである。なお、図１１中、前述した第１〜第５実施形態と同じ構成には同一符号を付して説明を省略する。
【０１１２】
本実施形態の遊技システムでは、貸出装置１６０の遊技機状態信号入力基板１２２には遊技球計数器１４２を接続してあり、この遊技球計数機１４２がＣＲ遊技機２６０の発射球を検出する毎に送出される発射球検出信号から、ＣＲ遊技機２６０での発射球数を主制御基板１０１で計数把握することができる。この発射球数は、ＣＲ遊技機２６０における遊技状態情報の１項目として収集管理しても良いし、暗号鍵初期化情報を生成するタイミングの判定などに用いても良く、貸出装置１６０における制御動作の幅を広げることができる。なお、第６実施形態においても、貸出装置１６０の認証手段１６１とＣＲ遊技機２６０の認証手段２６１とによって、上述した各種の相互認証を適宜に行うことが可能である。また、本実施形態では、発射球計数器１４２を別体としてＣＲ遊技機２６０に取り付けて発射球数を取得するものとしたが、これに限定されるものではなく、発射球検出手段を備えるＣＲ遊技機を接続した場合、発射球を検出した時にＣＲ遊技機の外部端子から出力される発射球検出信号を貸出装置側に出力するように構成すれば、ＣＲ遊技機での発射球数を貸出装置側で計数可能となる。
【０１１３】
図１２に示すのは、遊技球の物理的な出入りの無い封入式のＣＲ遊技機２７０とこれに対応した貸出装置１７０とからなる第７実施形態の遊技システムである。なお、図１２中、前述した第１〜第６実施形態と同じ構成には同一符号を付して説明を省略する。
【０１１４】
ＣＲ遊技機２７０は、内部に封入された所定数の遊技球を循環使用することで弾球遊技を可能にするもので、遊技者が実球に触れることはない。このため、遊技者に貸し出した遊技球数や遊技に使われた発射数、入賞により遊技者に払い出された賞球数、入賞せずに回収された回収球数等を内部でデータ管理する。
【０１１５】
上述したＣＲ遊技機２７０は、内部管理情報（例えば、賞球数、発射球数、遊技状態情報、エラー情報、遊技機固有情報など）を単方向通信の遊技機状態出力信号線束を通じて貸出装置１７０へ送信する一方、貸出関連信号および相互認証信号は双方向通信の貸出関連信号線束を通じて貸出装置１７０へ送信する。このように、封入式のＣＲ遊技機２７０に対しても、遊技機状態信号入力基板１０５および貸出信号中継基板１２２を備える貸出装置１７０との互換性を保つことができる。なお、第７実施形態においても、貸出装置１７０の認証手段１７１とＣＲ遊技機２７０の認証手段２７１とによって、上述した各種の相互認証を適宜に行うことが可能である。
【０１１６】
図１３に示すのは、上述した第７実施形態の遊技システムと同様に、遊技球の物理的な出入りの無い封入式のＣＲ遊技機２８０とこれに対応した貸出装置１８０とからなる第８実施形態の遊技システムであるが、貸出装置１８０とＣＲ遊技機２８０との接続には相互通信可能なシリアルインターフェースを採用した。なお、図１３中、前述した第１〜第７実施形態と同じ構成には同一符号を付して説明を省略する。
【０１１７】
貸出装置１８０には、シリアル通信用の遊技機接続中継基板１８２を設けてＣＲ遊技機２８０と接続することで、貸出装置１８０とＣＲ遊技機２８０との間の通信ラインを１系統に簡素化し、配線を簡略化するのに寄与できる。なお、貸出装置１８０にはシリアル通信用の送受信手段１８３を、ＣＲ遊技機２８０にはシリアル通信用の送受信手段２８２を各々設け、これら送受信手段１８３，２８２の制御によって送受信される認証用電文から、認証手段１８１，２８１による相互認証が行われるもので、前述した各実施形態とは異なり、認証手段１８１，２８１には通信機能を持たせないで、通信自体は貸出装置１８０とＣＲ遊技機２８０の制御基板同士で行う。斯くすれば、認証手段１８１，２８１はコプロセッサ的な位置付けとなるので、貸出装置１８０とＣＲ遊技機２８０における各制御基板の設計の自由度を高めることができる。
【０１１８】
そして、本実施形態の遊技システムでは、貸出装置１８０とＣＲ遊技機２８０との信号接続構造は、ＣＲ遊技機２８０より一方的に出力される遊技機状態出力信号と、貸出装置１８０とＣＲ遊技機２８０間で双方向通信する遊技媒体の貸出に関する貸出関連信号とを、同じ信号線束に統合し、ＣＲ遊技機２８０の認証手段２８１からの送信および貸出装置１８０の認証手段１８１からの送信は、共に統合信号線束を通じて行うことで、貸出装置１８０とＣＲ遊技機２８０の相互認証を統合信号線束に集約して行うことができる。また、統合信号線束を介してＣＲ遊技機１８０から貸出装置２８０へ送信する遊技機状態出力信号には、少なくとも大当り、図柄停止、確率変動、時間短縮、不正検知、発射数、賞球数の各状態を含むようにすれば、ＣＲ遊技機２８０の主な遊技機状態に関する情報を貸出装置で集中的に取り扱うことが可能となる。
【０１１９】
また、旧来はＣＲ遊技機２８０からホールコンピュータ３００等へ送信されていた遊技機状態情報などは、貸出装置１８０が収集し、これを外部機器通信用中継基板１０８を介してホールコンピュータ３００等の上位システムへ中継送信する。かくすれば、ＣＲ遊技機２８０は貸出装置１８０とだけ接続された状態で稼働させることができ、貸出装置１８０とＣＲ遊技機２８０は相互認証によって接続相手の厳格な確認を行って正常起動するのであるから、システムのセキュリティを一層高めることができる。
【０１２０】
図１４は、第８実施形態に係る遊技システムを貸出装置１８０ＡとＣＲ遊技機２８０Ａで構成した第１構成例を示すもので、貸出装置１８０Ａの遊技機接続基板１８２とＣＲ遊技機２８０Ａの貸出装置接続基板２８３をシリアル通信で接続したものである。なお、貸出装置１８０Ａの遊技機接続基板１８２とＣＲ遊技機２８０Ａの貸出装置接続基板２８３の接続信号線束には、ＣＲ遊技機２８０Ａから貸出装置１８０Ａへの電源供給ラインと、貸出装置１８０ＡからＣＲ遊技機２８０ＡへのＩ／Ｆ用電力供給ラインが含まれる。なお、図１４に示す第８実施形態の第１構成例においては図示を省略したが、貸出装置１８０Ａの主制御基板１０１は外部ネットワーク通信Ｉ／Ｆを備えており、外部機器通信用中継基板１０８を介して店内ネットワーク上の外部機器との通信が可能である。
【０１２１】
本構成例のＣＲ遊技機２８０Ａにおいては、発射制御手段２８４の動作制御も行う払出制御基板２０２に認証手段２８１および送受信手段２８２を設けることで、遊技機状態出力信号、貸出関連信号および相互認証信号の全てを送受信手段２８２が行うシリアルの双方向通信に集約できる。このように、旧来のＣＲ遊技機が備える払出制御基板２０２に送受信手段２８２を設ければ、通信専用の基板等を別途設ける必要が無く、コスト削減に効果がある。
【０１２２】
図１５は、第８実施形態に係る遊技システムを貸出装置１８０ＢとＣＲ遊技機２８０Ｂで構成した第２構成例を示すもので、貸出装置１８０Ｂには暗号・復号／通信基板１８４を設け、ＣＲ遊技機２８０Ｂには暗号・復号／通信基板２８５を設け、各種情報信号や認証用電文の送受信を専用の基板で行うようにしたものである。なお、図１５に示す第２実施形態の第２構成例においては図示を省略したが、貸出装置１８０Ｂの主制御基板１０１は外部ネットワーク通信Ｉ／Ｆを備えており、外部機器通信用中継基板１０８を介して店内ネットワーク上の外部機器との通信が可能である。
【０１２３】
本構成例のＣＲ遊技機２８０Ｂにおいては、暗号・復号／通信基板２８５に第１認証手段２８１ａを設け、払出制御基板２０２に第２認証手段２８１ｂを設け、認証および送受信に関する機能を２つの基板に分割した。例えば、第１認証手段２８１ａには暗号鍵の生成・更新、電文の暗号化、電文の復号化、認証電文の判定の各機能を持たせ、第２認証手段２８１ｂには、主制御基板２０１からの遊技機固有情報の読み取り及び一時記憶機能を持たせる。すなわち、第１構成例において認証手段２８１と送受信手段２８２とで実現した機能を、第２構成例においては、第１認証手段２８１ａを備える暗号・復号／通信基板２８５と払出制御基板２０２の第２認証手段２８１ｂによって実現するのである。
【０１２４】
また、本構成例の貸出装置１８０Ｂにおいては、暗号・復号／通信基板１８４に第１認証手段１８１ａを設け、主制御基板１０１に第２認証手段１８１ｂを設け、認証および送受信に関する機能を２つの基板に分割した。例えば、第１認証手段１８１ａには暗号鍵の生成・更新、電文の暗号化、電文の復号化、認証電文の判定の各機能を持たせ、第２認証手段１８１ｂには、認証電文からの遊技機固有情報の抽出および一時記憶機能を持たせる。すなわち、第１構成例において認証手段１８１と送受信手段２８３とで実現した機能を、第２構成例においては、第１認証手段１８１ａを備える暗号・復号／通信基板１８４と主制御基板１０１の第２認証手段１８１ｂによって実現するのである。
【０１２５】
このように、認証および通信に関する機能の一部を別基板に設ける構成とすれば、貸出装置１８０Ｂにおける主制御基板１０１やＣＲ遊技機２８０Ｂにおける払出制御基板２０２の負担が減り、プログラム容量を抑えることが出来る。なお、暗号化機能と通信機能の分割形態は、本構成例に限定されるものではなく、自由に設定して構わない。
【０１２６】
図１６に示すのは、封入式の遊技機２９０と貸出装置１９０とで構成した第９実施形態に係る遊技システムであり、貸出装置１９０と遊技機２９０との間の信号のやり取りを全て暗号化してセキュリティを一層高めるものである。
【０１２７】
貸出装置１９０の貸出装置メイン基板１９１は汎用ＣＰＵで構成する。この貸出装置メイン基板１９１とシリアル双方向通信で接続される暗号処理基板１９１は暗号用セキュリティＣＰＵで構成し、遊技機２９０から暗号化送信された信号を復号すると共に、遊技機２９０へ送信する信号を暗号化する。この暗号処理基板１９２に認証手段の機能を含ませるのである。
【０１２８】
また、貸出装置メイン基板１９１は、紙幣が投入される紙幣識別ユニット１９３、価値等記録媒体Ｃの読み書きを行うカード等Ｒ／Ｗユニット１９４、汎用ＣＰＵで構成された操作表示部制御基板１９５とシリアル信号線で接続される。なお、操作表示部制御基板１９５は、タッチパネル表示器等で構成した操作表示部表示器１９６とパラレル信号線で接続され、表示制御を行うものである。また、この操作表示制御基板１９５の機能は、貸出装置メイン基板１９１に設けるようにしても構わない。
【０１２９】
貸出装置１９０の外部機器やシステムとの通信を行うための外部出力接続端子基板１９７は、ホールコンピュータ、プリペイド管理サーバ、景品サーバ、貯玉サーバ、当日持玉サーバ、呼出ランプ、店舗外のデータ管理センタなどと通信を行う。なお、外部出力接続端子基板１９７は、電源基板１９８からの電源供給を受けて、更に貸出装置メイン基板１９１に供給し、この貸出装置メイン基板１９１から他の基板やユニットへ所要電源が供給される。
【０１３０】
一方、遊技機１９０の払出制御基板２９１は、遊技機用セキュリティＣＰＵで構成され、貸出装置１９０から暗号化送信された信号を復号すると共に、貸出装置１９０へ送信する信号を暗号化する。なお、遊技機用セキュリティＣＰＵは書き込んだ内容を外部から読み出すことが困難なプログラマブルＣＰＵであり、暗号処理機能をマクロで組んで搭載すれば、別途認証用チップ等を基板に設ける必要がない。
【０１３１】
また、封入式の遊技機２９０は、交換自在なゲージ盤２９２に主制御基板２９２ａを備え、この主制御基板２９２ａも遊技機用セキュリティＣＰＵで構成されているので、暗号処理機能をマクロで組んで搭載できる。この主制御基板２９２ａと払出制御基板２９１とは双方向のシリアル信号線で接続され、貸出装置１９０より送信された認証用電文を払出制御基板２９１より受け取った主制御基板２９２ａが復号し、貸出装置１９０へ送信する認証用電文を暗号化して払出制御基板２９１へ送信したりする。このように、遊技機１９０では、特別な認証用チップを設けずに、認証手段の機能を実現できる。
【０１３２】
上記ゲージ盤２９２には、汎用ＣＰＵで構成された演出用サブ制御基板２９２ｂを設け、単方向シリアル信号線で接続された主制御基板２９２ａからの演出指示を受けて、単方向パラレル信号線で接続された液晶表示器２９２ｃの表示制御を行う。なお、演出用サブ制御基板２９２ｂには、電源基板２９３から電源供給を受け、液晶表示器２９２ｃに駆動用電源を供給する。
【０１３３】
また、電源基板２９３から払出制御基板２９１へも電源供給され、この払出制御基板２９１からゲージ盤２９２の主制御基板２９２ａ、双方向パラレル信号線で接続された球磨き制御基板２９４、双方向パラレル信号線で接続された発射制御基板２９５、単方向パラレル信号線で接続された球数等表示基板２９６へ電源供給される。
【０１３４】
本実施形態の遊技システムでは、貸出装置１９０と遊技機２９０とで相互認証を行うことに加えて、貸出装置１９０と遊技機２９０と間でやり取りされる信号自体を暗号化できるので、セキュリティを一層高めることができる。
【０１３５】
なお、本実施形態の遊技システムでは、貸出装置１９０や遊技機２９０の内部機能における信号送信方式の一例を示したが、内部機能間における信号送信様式をシリアル送信にするかパラレル送信にするかは任意であり、どちらの方法をとっても良いが、一般的に、スピードを重視する場合はパラレル送信方式を、信号線数を減らすときにはシリアル方式をとる。スピードかコストかの制約に基づいてどちらを採用しても実現可能である。
【０１３６】
上述した第９実施形態の遊技システムにおいては、貸出関連の操作や表示を貸出装置１９０に設けた操作表示部表示器１９６を介して行うようにしたが、これに限定されるものではなく、遊技機２９０側にて種々の操作を行えるようにすることも可能である。例えば、図１７に示す遊技システムは第９実施形態の改変例で、例えば、操作表示部表示器１９６を備えていない貸出装置１９０′と、操作表示部表示器１９６′を設けたＣＲ遊技機１９０′とから構成したものである。斯く構成すれば、遊技者にとって手近なＣＲ遊技機１９０′の適所（例えば、遊技機前面下部の上部球皿の上面など）に設けられた操作表示部表示器１９６′によって貸出関連の諸操作を行うことができるので、遊技者にとっての使い勝手が良い。
【０１３７】
なお、操作表示部表示器１９６′は、貸出装置１９０′の操作表示部制御基板１９５からの給電および信号入力によって動作するものとし、貸出装置１９０′が適正に稼働状態になっていなければ、操作表示部表示器１９６′を使った貸出操作はできない。なお、操作表示部制御基板１９５と操作表示部表示器１９６′の接続には、専用のコネクタを別途設けて専用のケーブルで接続するようにしても良いし、貸出装置１９０′の暗号処理基板１９２とＣＲ遊技機２９０′の払出制御基板２９１を接続する貸出装置Ｉ／Ｆケーブルと同一のハーネスに束ねておくことで、接続を簡易に行えるようにしても良い。
【０１３８】
以上、本発明に係る遊技システムの実施形態を添付図面に基づいて説明したが、本発明の包摂範囲は、これらの実施形態に限定されるものではなく、公知既存の手法を適宜転用することで実現しても構わない。
【符号の説明】
【０１３９】
１１０  貸出装置
１０１  主制御基板
１０５  貸出信号中継基板
１１１  認証手段
２１０  ＣＲ遊技機
２１１  認証手段
【図１】
2011072520.tif 000003
【図２】
2011072520.tif 000004
【図３】
2011072520.tif 000005
【図４】
2011072520.tif 000006
【図５】
2011072520.tif 000007
【図６】
2011072520.tif 000008
【図７】
2011072520.tif 000009
【図８】
2011072520.tif 000010
【図９】
2011072520.tif 000011
【図１０】
2011072520.tif 000012
【図１１】
2011072520.tif 000013
【図１２】
2011072520.tif 000014
【図１３】
2011072520.tif 000015
【図１４】
2011072520.tif 000016
【図１５】
2011072520.tif 000017
【図１６】
2011072520.tif 000018
【図１７】
2011072520.tif 000019